(57)【要約】【課題】カバーの揺動を安定して制限できる発熱装置、乾燥装置、印刷装置を提供する。【解決手段】熱を放出する発熱部３５と、発熱部３５を覆うカバー３６と、カバー３６が揺動軸２０を中心として揺動するようにカバー３６を支持するフレーム１９と、温度変化により変形する変形部材３７と、を備え、変形部材３７は、カバー３６に設けられ、変形部材３７は、変形部材３７の温度が所定温度より高い状態では、揺動軸２０の軸方向Ｘにおけるカバー３６の中央に対して、軸方向Ｘに沿う第１方向側と、中央に対して、第１方向とは反対の第２方向側とで、フレーム１９に接触してカバー３６の揺動を制限し、変形部材３７の温度が所定温度より低い状態ではカバー３６の揺動を許容する。【選択図】図２
2020069675.tif 000002
【特許請求の範囲】
【請求項１】
熱を放出する発熱部と、
前記発熱部を覆うカバーと、
前記カバーが揺動軸を中心として揺動するように前記カバーを支持するフレームと、
温度変化により変形する変形部材と、
を備え、
前記変形部材は、前記カバーと前記フレームのうち一方に設けられ、
前記変形部材は、前記変形部材の温度が所定温度より高い状態では、前記揺動軸の軸方向における前記カバーの中央に対して、前記軸方向に沿う第１方向側と、前記中央に対して、前記第１方向とは反対の第２方向側とで、前記カバーと前記フレームのうち他方に接触して前記カバーの揺動を制限し、前記変形部材の温度が前記所定温度より低い状態では前記カバーの揺動を許容することを特徴とする発熱装置。
【請求項２】
印刷された媒体を支持する支持部と、
前記支持部に支持される前記媒体を加熱可能な発熱部と、
前記発熱部を覆うカバーと、
前記カバーが揺動軸を中心として揺動するように前記カバーを支持するフレームと、
温度変化により変形する変形部材と、
を備え、
前記変形部材は、前記カバーと前記フレームのうち一方に設けられ、
前記変形部材は、前記変形部材の温度が所定温度より高い状態では、前記揺動軸の軸方向における前記カバーの中央に対して、前記軸方向に沿う第１方向側と、前記中央に対して、前記第１方向とは反対の第２方向側とで、前記カバーと前記フレームのうち他方に接触して前記カバーの揺動を制限し、前記変形部材の温度が前記所定温度より低い状態では前記カバーの揺動を許容することを特徴とする乾燥装置。
【請求項３】
前記発熱部と前記変形部材との間に設けられる仕切り壁と、
前記仕切り壁と前記支持部との間の空気を流動させる送風部と、
をさらに備え、
前記発熱部は、前記仕切り壁と前記支持部との間に位置することを特徴とする請求項２に記載の乾燥装置。
【請求項４】
前記変形部材の温度が前記所定温度より高い状態において、前記カバーと前記フレームのうち一方に設けられる前記変形部材は、前記カバーと前記フレームのうち他方に設けられる係合孔に進入し、
前記カバーと前記フレームのうち、前記変形部材が設けられる一方よりも外側に、前記係合孔が設けられる他方が位置することを特徴とする請求項２又は請求項３に記載の乾燥装置。
【請求項５】
前記変形部材は、単一部材により構成されることを特徴とする請求項２〜請求項４のうち何れか一項に記載の乾燥装置。
【請求項６】
前記カバーと前記フレームのうち一方に設けられる前記変形部材の温度が前記所定温度より高い状態では、前記変形部材の前記軸方向の両端が前記カバーと前記フレームのうち他方に接触することを特徴とする請求項２〜請求項５のうち何れか一項に記載の乾燥装置。
【請求項７】
媒体に印刷する印刷部と、
印刷された前記媒体を支持する支持部と、
前記支持部に支持される前記媒体を加熱可能な発熱部と、
前記発熱部を覆うカバーと、
前記カバーが揺動軸を中心として揺動するように前記カバーを支持するフレームと、
温度変化により変形する変形部材と、
を備え、
前記変形部材は、前記カバーと前記フレームのうち一方に設けられ、
前記変形部材は、前記変形部材の温度が所定温度より高い状態では、前記揺動軸の軸方向における前記カバーの中央に対して、前記軸方向に沿う第１方向側と、前記中央に対して、前記第１方向とは反対の第２方向側とで、前記カバーと前記フレームのうち他方に接触して前記カバーの揺動を制限し、前記変形部材の温度が前記所定温度より低い状態では前記カバーの揺動を許容することを特徴とする印刷装置。
【発明の詳細な説明】
【技術分野】
【０００１】
本発明は、発熱装置、印刷された媒体を乾燥させる乾燥装置、媒体に印刷する印刷装置に関する。
【背景技術】
【０００２】
例えば特許文献１のように、媒体の一例である記録紙に画像を印画する印刷装置の一例である感熱プリンターがある。感熱プリンターは、感熱発色層を有する記録紙を発熱部の一例であるサーマルヘッドにより加熱して印画する。感熱プリンターは、サーマルヘッドを覆うカバーの一例である上蓋と、上蓋に設けられるロック機構と、を備える。
【０００３】
ロック機構は、温度の変動により伸縮する変形部材の一例である熱膨張部材と、熱膨張部材の伸縮によりスライド移動するロック部材と、を備える。ロック機構は、高温状態ではロック部材をロック位置に位置させ、ロック部材を筐体に引っ掛けることで揺動軸の一例である軸を中心として開閉する上蓋を閉じ位置にロックしていた。
【先行技術文献】
【特許文献】
【０００４】
【特許文献１】特開２００６−３３４９５２号公報
【発明の概要】
【発明が解決しようとする課題】
【０００５】
上蓋の軸の軸方向における一方がロックされた上蓋を、例えばユーザーが軸方向の他方から開けようとすると、ユーザーに把持される部分とロック部材が筐体に引っ掛かる部分との距離によっては、上蓋がねじれてロックが不安定になる虞がある。
【０００６】
こうした課題は、上蓋を備える感熱プリンターに限らず、カバーを備える発熱装置、乾燥装置、及び印刷装置についても生じる虞があるが、特に揺動軸の軸方向に長いカバーを有する構成で生じる虞がある。
【課題を解決するための手段】
【０００７】
上記課題を解決する発熱装置は、熱を放出する発熱部と、前記発熱部を覆うカバーと、前記カバーが揺動軸を中心として揺動するように前記カバーを支持するフレームと、温度変化により変形する変形部材と、を備え、前記変形部材は、前記カバーと前記フレームのうち一方に設けられ、前記変形部材は、前記変形部材の温度が所定温度より高い状態では、前記揺動軸の軸方向における前記カバーの中央に対して、前記軸方向に沿う第１方向側と、前記中央に対して、前記第１方向とは反対の第２方向側とで、前記カバーと前記フレームのうち他方に接触して前記カバーの揺動を制限し、前記変形部材の温度が前記所定温度より低い状態では前記カバーの揺動を許容する。
【０００８】
上記課題を解決する乾燥装置は、印刷された媒体を支持する支持部と、前記支持部に支持される前記媒体を加熱可能な発熱部と、前記発熱部を覆うカバーと、前記カバーが揺動軸を中心として揺動するように前記カバーを支持するフレームと、温度変化により変形する変形部材と、を備え、前記変形部材は、前記カバーと前記フレームのうち一方に設けられ、前記変形部材は、前記変形部材の温度が所定温度より高い状態では、前記揺動軸の軸方向における前記カバーの中央に対して、前記軸方向に沿う第１方向側と、前記中央に対して、前記第１方向とは反対の第２方向側とで、前記カバーと前記フレームのうち他方に接触して前記カバーの揺動を制限し、前記変形部材の温度が前記所定温度より低い状態では前記カバーの揺動を許容する。
【０００９】
上記課題を解決する印刷装置は、媒体に印刷する印刷部と、印刷された前記媒体を支持する支持部と、前記支持部に支持される前記媒体を加熱可能な発熱部と、前記発熱部を覆うカバーと、前記カバーが揺動軸を中心として揺動するように前記カバーを支持するフレームと、温度変化により変形する変形部材と、を備え、前記変形部材は、前記カバーと前記フレームのうち一方に設けられ、前記変形部材は、前記変形部材の温度が所定温度より高い状態では、前記揺動軸の軸方向における前記カバーの中央に対して、前記軸方向に沿う第１方向側と、前記中央に対して、前記第１方向とは反対の第２方向側とで、前記カバーと前記フレームのうち他方に接触して前記カバーの揺動を制限し、前記変形部材の温度が前記所定温度より低い状態では前記カバーの揺動を許容する。
【図面の簡単な説明】
【００１０】
【図１】印刷装置の一実施形態を模式的に示す側面図。
【図２】乾燥装置の模式断面図。
【図３】図２における３−３線矢視模式端面図。
【図４】高温状態の乾燥装置の模式端面図。
【図５】乾燥装置の第１変更例を示す模式端面図。
【図６】乾燥装置の第２変更例を示す模式断面図。
【図７】発熱装置の変更例を示す模式断面図。
【発明を実施するための形態】
【００１１】
以下、発熱装置、乾燥装置、及び印刷装置の実施形態について、図を参照して説明する。印刷装置は、例えば、液体の一例であるインクを噴射することによって用紙などの媒体に文字、写真等の画像を印刷するインクジェット式のプリンターである。
【００１２】
図１に示すように、印刷装置１１は、媒体１２に印刷する印刷部１３と、印刷された媒体１２を乾燥させる乾燥装置１４と、を備える。乾燥装置１４は、印刷された媒体１２を支持する支持面１５ａを有する支持部１５と、支持部１５に支持される媒体１２を加熱する発熱装置１６と、を備える。
【００１３】
発熱装置１６は、装置本体１８と、装置本体１８を支持するフレーム１９と、を備える。装置本体１８は、揺動軸２０を中心として揺動し、図１に実線で示す閉位置Ｐｃと、図１に二点鎖線で示す開位置Ｐｏと、の間を移動する。
【００１４】
図面では、印刷装置１１が水平面上に置かれているものとして重力の方向をＺ軸で示し、Ｚ軸と交差する面に沿う方向をＸ軸及びＹ軸で示す。Ｘ軸、Ｙ軸、及びＺ軸が互いに直交する場合、Ｘ軸とＹ軸は、水平面に沿う。以下の説明では、Ｘ軸方向を揺動軸２０の軸方向Ｘ、Ｚ軸方向を鉛直方向Ｚともいう。支持面１５ａに沿う方向のうち媒体１２を搬送する方向を搬送方向Ｄ１ともいい、支持面１５ａに垂直な方向を法線方向Ｎともいう。搬送方向Ｄ１及び法線方向Ｎは、Ｘ軸と直交する。
【００１５】
乾燥装置１４は、搬送方向Ｄ１において印刷部１３よりも下流に設けられる。支持部１５は、水平面に対して傾斜する。すなわち、支持部１５は、搬送方向Ｄ１における上流部分が下流部分よりも上方に位置するように配置される。
【００１６】
発熱装置１６が備えるフレーム１９は、軸方向Ｘに互いに間隔を有して設けられる一対のフレーム１９である。一対のフレーム１９は、軸方向Ｘにおいて装置本体１８の両側の位置に、装置本体１８を挟んで設けられる。フレーム１９には、フレーム１９を軸方向Ｘに貫通する係合孔２２を形成してもよい。
【００１７】
揺動軸２０は、係合孔２２よりも搬送方向Ｄ１の下流の位置であって、係合孔２２よりも鉛直方向Ｚの下方の位置に位置する。装置本体１８は、閉位置Ｐｃに位置する状態から、揺動軸２０を中心として搬送方向Ｄ１の上流端が支持部１５から離れるように回動し、開位置Ｐｏに移動する。開位置Ｐｏに位置する装置本体１８は、搬送方向Ｄ１の上流端が支持部１５に近づくように回動して閉位置Ｐｃに移動する。閉位置Ｐｃは、搬送される媒体１２を乾燥させるための位置である。開位置Ｐｏは、乾燥装置１４のメンテナンスが可能な程度に、装置本体１８の内部及び支持面１５ａが外部に露出される位置である。
【００１８】
印刷装置１１は、印刷部１３を収容する収容体２４と、媒体１２を搬送方向Ｄ１に搬送する搬送部２５と、を備えてもよい。図面では、媒体１２と支持部１５とを離して図示するが、媒体１２は、支持面１５ａに接触して支持された状態で、支持面１５ａの上を滑るように搬送される。
【００１９】
搬送部２５は、媒体１２を搬送する搬送ローラー２７と、搬送ローラー２７よりも搬送方向Ｄ１の上流に位置する繰出軸２８と、搬送ローラー２７よりも搬送方向Ｄ１の下流に位置する巻取軸２９と、を備えてもよい。搬送部２５は、複数の搬送ローラー２７を備えてもよい。繰出軸２８と巻取軸２９は、長尺の媒体１２を円筒状に巻き重ねたロールを回転可能に支持する。繰出軸２８は、巻き重ねられた媒体１２を巻き解きながら繰り出す。搬送ローラー２７は、繰り出された媒体１２を支持面１５ａに沿って搬送する。巻取軸２９は、搬送された媒体１２を巻き取る。
【００２０】
印刷部１３は、ノズルから液体を噴射する液体噴射ヘッド３１と、液体噴射ヘッド３１を保持するキャリッジ３２と、キャリッジ３２の移動を案内するガイド軸３３と、を備えてもよい。ガイド軸３３は、揺動軸２０と平行に設けてもよい。キャリッジ３２は、ガイド軸３３に沿って軸方向Ｘに往復移動する。液体噴射ヘッド３１は、キャリッジ３２と共に移動しながら支持部１５に支持される媒体１２に向かって液体を噴射する。媒体１２は、液体が付着して印刷される。
【００２１】
搬送部２５により搬送される媒体１２は、法線方向Ｎにおける支持部１５と装置本体１８との間、及び軸方向Ｘにおける一対のフレーム１９の間の領域を通過する。乾燥装置１４は、印刷部１３によって印刷された媒体１２を加熱して乾燥させる。巻取軸２９は、乾燥装置１４を通過して乾燥した媒体１２を巻き取る。
【００２２】
次に、乾燥装置１４、乾燥装置１４が備える発熱装置１６、及び発熱装置１６が備える装置本体１８について説明する。
図２に示すように、装置本体１８は、熱を放出する発熱部３５と、発熱部３５を覆うカバー３６と、カバー３６に設けられる変形部材３７と、を備える。装置本体１８は、複数の発熱部３５を備えてもよい。装置本体１８は、発熱部３５と変形部材３７との間に設けられる仕切り壁３８と、流入口３９と流出口４０とを結ぶ送風路４１を形成する流路部材４２と、送風路４１に設けられる送風部４３と、を備えてもよい。
【００２３】
発熱部３５は、仕切り壁３８と支持部１５との間に位置し、支持部１５に支持される媒体１２を加熱可能に設けられる。発熱部３５は、例えば円柱状をなし、赤外線を照射するヒーターとしてもよいし、電流が流されると発熱する電熱線としてもよい。発熱部３５は、軸方向Ｘの長さが、軸方向Ｘとは異なる方向の長さよりも長く、揺動軸２０と平行に設けられる。軸方向Ｘにおいて、発熱部３５の長さを媒体１２の長さよりも長くすると、発熱部３５は媒体１２を軸方向Ｘに亘って加熱する。複数の発熱部３５は、法線方向Ｎにおける支持部１５との間隔が互いに同じになるように設けると、媒体１２の加熱斑を低減できる。
【００２４】
カバー３６には、支持部１５もしくは支持部１５に支持される媒体１２と対向する開口４５が形成されてもよい。装置本体１８は、開口４５を覆う金網４６を備えてもよい。金網４６が開口４５に配置される構成では、金網４６越しに発熱部３５の熱が支持面１５ａ上の媒体１２に伝えられる。
【００２５】
フレーム１９は、カバー３６が揺動軸２０を中心として揺動するようにカバー３６を支持する。本実施形態の発熱装置１６は、カバー３６に、発熱部３５、変形部材３７、仕切り壁３８、流路部材４２、送風部４３、及び金網４６が固定されている。そのため、カバー３６を揺動させると、カバー３６と共に装置本体１８全体が揺動する。
【００２６】
流路部材４２は、カバー３６の外側に設けられ、カバー３６を囲むように送風路４１を形成する。流出口４０は、搬送方向Ｄ１において発熱部３５と印刷部１３との間に位置する。流出口４０を含む送風路４１の下流部分は、支持面１５ａに対して傾斜するように延びる。
【００２７】
送風部４３は、送風路４１内に配置される。送風部４３は、気流を発生させるファン４８を有し、送風路４１内の空気を流出口４０に向けて流動させる。送風部４３は、仕切り壁３８と支持部１５との間の空気を流動させる。具体的には、送風部４３は、発熱部３５よりも搬送方向Ｄ１の上流の位置から搬送方向Ｄ１の下流に向かって空気を吹き付け、仕切り壁３８と支持部１５との間の空気を搬送方向Ｄ１の下流から乾燥装置１４の外部に排出させる。
【００２８】
乾燥装置１４は、蒸気を含む仕切り壁３８と支持部１５との間の空気を乾燥装置１４の外部に排出させ、乾燥装置１４の内部における湿度の上昇を抑制する。すなわち、発熱部３５が媒体１２を加熱すると、媒体１２に付着した液体が蒸発して蒸気が生じ、この蒸気によって乾燥装置１４の内部の湿度が上昇して媒体１２が乾燥しにくくなることがある。その点、乾燥装置１４は、支持面１５ａに支持される媒体１２を加熱しつつその媒体１２に空気を吹き付けることによって、媒体１２に付着した液体の蒸発を促進し、媒体１２を乾燥させる。
【００２９】
仕切り壁３８は、発熱部３５が放出する赤外線を支持面１５ａに向けて反射する反射板としてもよい。仕切り壁３８が赤外線を反射すると、媒体１２が効率よく加熱される。仕切り壁３８が赤外線を反射する場合でも、仕切り壁３８の温度は上昇する。そのため、発熱部３５が媒体１２を加熱すると、仕切り壁３８とカバー３６とに囲まれる加熱室５０の温度も上昇する。
【００３０】
変形部材３７は、加熱室５０に収容してもよい。加熱室５０の温度が変化すると、変形部材３７の温度も変化する。具体的には、発熱部３５が放出した熱が仕切り壁３８を介して変形部材３７に伝わると、変形部材３７の温度が上昇する。仕切り壁３８は、送風部４３により吹き付けられる空気を遮る。そのため、発熱部３５が熱の放出を終了した後、加熱室５０及び加熱室５０に設けられる変形部材３７の温度は、加熱室５０外の空気が流動する領域に比べて下がりにくい。
【００３１】
図２，図３に示すように、カバー３６及び変形部材３７は、軸方向Ｘの長さが、軸方向Ｘとは異なる方向の長さよりも長い。具体的には、閉位置Ｐｃに位置するカバー３６の軸方向Ｘにおける一端から他端までの長さは、鉛直方向Ｚにおける上端から下端までの長さ、及び搬送方向Ｄ１における上流端から下流端までの長さよりも長い。
【００３２】
図３に示すように、装置本体１８は、軸方向Ｘにおいて、変形部材３７の中央部分をカバー３６の中央部分に固定する固定部５２を備えてもよい。固定部５２は、変形部材３７の中央部分に形成されているフランジ５３をカバー３６に固定する。装置本体１８は、軸方向Ｘへの伸縮を許容するように変形部材３７を支持する許容部５４を備えてもよい。
【００３３】
カバー３６において、軸方向Ｘの両側に位置する側壁３６ａには、側壁３６ａを軸方向Ｘに貫通する貫通孔５５が形成されている。装置本体１８が閉位置Ｐｃに位置するとき、フレーム１９に形成される係合孔２２、変形部材３７、及びカバー３６の貫通孔５５は、軸方向Ｘに一直線に並ぶ。係合孔２２が設けられるフレーム１９は、変形部材３７が設けられるカバー３６よりも外側に位置する。
【００３４】
図３，図４に示すように、変形部材３７は、変形部材３７の温度の変化により変形する。変形部材３７は、熱膨張率の高い材料により形成される単一部材により構成してもよい。熱膨張率の高い材料としては、例えば、樹脂ではポリカーボネート、ゴムではニトリルゴム、金属ではアルミニウムなどがある。
【００３５】
温度変化に伴う変形部材３７の伸縮量は、長さに比例する。そのため、軸方向Ｘの長さが軸方向Ｘとは異なる方向の長さよりも長い変形部材３７の温度変化に伴う伸縮量は、軸方向Ｘと異なる方向よりも軸方向Ｘに大きくなる。軸方向Ｘにおける変形部材３７の長さは、図３に示す常温での長さより、発熱部３５により加熱されて温度が上昇した図４に示す高温での長さが長い。
【００３６】
変形部材３７の温度が変化すると、揺動軸２０の軸方向Ｘにおけるカバー３６の中央に対する、軸方向Ｘに沿う第１方向Ｘ１側の端である第１端３７ａの位置が変化する。また、変形部材３７の温度が変化すると、当該中央に対する、第１方向Ｘ１とは反対の第２方向Ｘ２側の端である第２端３７ｂの位置が変化する。第１端３７ａから中央までの長さと、第２端３７ｂから中央までの長さとは、略等しい。本実施形態では、変形部材３７が、軸方向Ｘの中央が固定されるため、温度に関わらず、第１端３７ａから中央までの長さと、第２端３７ｂから中央までの長さとが、略等しくなる。変形部材３７の温度が上昇すると、変形部材３７は伸長する。このとき、第１端３７ａと第２端３７ｂとは、互いに離れるように略同じ量だけ移動する。変形部材３７の温度が低下すると、変形部材３７は収縮する。このとき、第１端３７ａと第２端３７ｂは、互いに近づくように略同じ量だけ移動する。
【００３７】
本実施形態の作用について説明する。
図３に示すように、変形部材３７は、変形部材３７の温度が所定温度より低い状態ではカバー３６の揺動を許容する。所定温度とは、常温よりも高い例えば４０度であり、軸方向Ｘにおいて、変形部材３７の長さが一対のフレーム１９の間隔より長くなる温度である。変形部材３７は、所定温度よりも温度が低い例えば常温では、変形部材３７の第１端３７ａ及び第２端３７ｂがフレーム１９よりも内側に位置する。したがって、カバー３６が揺動するとき、変形部材３７は、フレーム１９に引っ掛かることなく、カバー３６と共に揺動する。
【００３８】
乾燥装置１４が媒体１２を乾燥させると、装置本体１８の内部の温度が上昇する。変形部材３７は、温度が上昇すると、固定部５２に固定されるフランジ５３を中心として、軸方向Ｘに延びるように膨張する。
【００３９】
図４に示すように、カバー３６に設けられる変形部材３７の温度が所定温度より高い状態では、変形部材３７の軸方向Ｘの両端がフレーム１９に接触する。本実施形態では、カバー３６に設けられる変形部材３７は、変形部材３７の温度が所定温度より高い状態において、フレーム１９に設けられる係合孔２２に進入する。すなわち、変形部材３７は、ユーザーがカバー３６を揺動させようとした場合に、第１端３７ａと第２端３７ｂとがフレーム１９に接触し、カバー３６の揺動を制限する。
【００４０】
本実施形態の効果について説明する。
（１）変形部材３７は、その温度が高い状態では、揺動軸２０の軸方向Ｘにおいて、カバー３６の中央に対する両側でカバー３６の揺動を制限する。したがって、カバー３６の軸方向Ｘにおける両端部に作用する力に対して、カバー３６の揺動を安定して制限できる。
【００４１】
（２）送風部４３は、仕切り壁３８と支持部１５との間の空気を流動させるため、支持部１５に支持される媒体１２をより乾燥しやすくできる。仕切り壁３８は、発熱部３５と変形部材３７との間に設けられ、発熱部３５は、仕切り壁３８と支持部１５との間に位置する。すなわち、仕切り壁３８は、送風部４３が空気を流動させる空間と、変形部材３７が設けられる空間と、を仕切る。したがって、送風部４３が流動させる空気による変形部材３７の温度の低下を低減できる。
【００４２】
（３）変形部材３７がカバー３６に設けられ、変形部材３７が挿入され得る係合孔２２がフレーム１９に設けられる。係合孔２２を含むフレーム１９は、カバー３６よりも外側に位置する。したがって、カバー３６及びフレーム１９の外側から係合孔２２に変形部材３７が挿入されているか否かを確認できる。
【００４３】
（４）変形部材３７は、単一部材により構成されるため、例えば複数の部材により変形部材３７を構成する場合に比べ、温度変化に対する変形量を安定させることができる。
（５）カバー３６に設けられる変形部材３７は、両端がそれぞれフレーム１９に接触する。そのため、例えば複数の変形部材３７をフレーム１９に接触させる場合に比べ、部材点数を減らすことができる。
【００４４】
本実施形態は、以下のように変更して実施することができる。本実施形態及び以下の変更例は、技術的に矛盾しない範囲で互いに組み合わせて実施することができる。
・図５に示す第１変更例のように、係合孔２２が設けられるフレーム１９は、軸方向Ｘにおいて、変形部材３７が設けられるカバー３６よりも内側に設けてもよい。変形部材３７の温度が所定温度よりも低い例えば常温では、変形部材３７の第１端３７ａ及び第２端３７ｂが図５に実線で示すようにフレーム１９よりも内側に位置し、カバー３６の揺動を許容する。変形部材３７の温度が所定温度よりも温度が高い状態では、変形部材３７は、図５に二点鎖線で示すように伸長して軸方向Ｘの長さが長くなり、第１端３７ａと第２端３７ｂが係合孔２２に進入してカバー３６の揺動を制限する。
【００４５】
・図６に示す第２変更例のように、乾燥装置１４は、カバー３６に設けられる複数の変形部材３７を備えてもよい。複数の変形部材３７は、搬送方向Ｄ１や軸方向Ｘに位置をずらして設けてもよい。乾燥装置１４は、変形部材３７の軸方向Ｘにおける一端をカバー３６に固定し、変形部材３７の温度変化により他端の位置を変化させてもよい。すなわち、乾燥装置１４は、第１変形部材３７Ａと、第１変形部材３７Ａよりも搬送方向Ｄ１の下流に位置する第２変形部材３７Ｂと、を備えてもよい。乾燥装置１４は、第１変形部材３７Ａの第２端３７ｂと、第２変形部材３７Ｂの第１端３７ａと、をカバー３６に固定してもよい。変形部材３７は、変形部材３７の温度が所定温度よりも高い場合に、図６に二点鎖線で示すように第１変形部材３７Ａの第１端３７ａと第２変形部材３７Ｂの第２端３７ｂがフレーム１９に形成された係合孔２２に進入してもよい。
【００４６】
・変形部材３７の軸方向Ｘと直交する断面形状は、円形に限らず、楕円形や多角形としてもよい。装置本体１８が閉位置Ｐｃに位置する状態において、変形部材３７の法線方向Ｎにおける長さは、搬送方向Ｄ１における長さよりも長くしてもよい。変形部材３７の法線方向Ｎの長さを長くすると、装置本体１８が移動する法線方向Ｎにおける変形部材３７の剛性を高めることができる。したがって、変形部材３７が伸長してカバー３６の揺動を制限する状態でカバー３６に力が加わった場合でも、カバー３６の揺動を安定して制限できる。
【００４７】
・変形部材３７の温度が所定温度より高い状態では、第１端３７ａと第２端３７ｂは、係合孔２２を通過してフレーム１９より外側に位置してもよい。変形部材３７は、軸方向Ｘにおいて中央と第１端３７ａとの間の一部がフレーム１９に接触してもよいし、軸方向Ｘにおいて中央と第２端３７ｂとの間の一部がフレーム１９に接触してもよい。
【００４８】
・カバー３６は、固定部５２を備えない構成としてもよい。例えば変形部材３７は、ねじによりカバー３６に締結してもよい。カバー３６と変形部材３７は、溶着、接着、溶接などにより接合してもよい。
【００４９】
・変形部材３７は、仕切り壁３８と支持部１５との間の領域に、発熱部３５と共に設けてもよい。発熱部３５と変形部材３７を対向して設けると、発熱部３５が放出した熱により変形部材３７が直接加熱される。したがって、変形部材３７は、温度が上がりやすくなり、発熱部３５が熱の放出を開始した後、速やかにカバー３６の揺動を制限できる。
【００５０】
・乾燥装置１４は、流路部材４２や送風部４３を設けない構成としてもよい。乾燥装置１４は、仕切り壁３８を備えない構成としてもよい。カバー３６は、単体で揺動する構成としてもよい。
【００５１】
・変形部材３７は、複数の部材により構成してもよい。例えば、図４に示すように、変形部材３７の温度が所定温度よりも高い状態において、カバー３６の貫通孔５５とフレーム１９の係合孔２２に挿通する部分を、剛性の高い部材により構成すると、カバー３６の揺動をより安定して制限できる。
【００５２】
・フレーム１９には、変形部材３７の第１端３７ａもしくは第２端３７ｂが接触する凹部を形成してもよい。フレーム１９、カバー３６には、係合孔２２や凹部を形成しなくてもよい。変形部材３７は、温度が所定温度より高い状態では、フレーム１９もしくはカバー３６に接触した摩擦によりカバー３６の揺動を制限してもよい。
【００５３】
・印刷装置１１は、媒体１２にインクなどの液体を付着させることにより文字や絵、写真などの画像を印刷する装置であって、シリアルプリンター、ラテラル式プリンター、ラインプリンター、ページプリンターなどとしてもよい。また、印刷装置は、オフセット印刷装置、捺染印刷装置などとしてもよい。
【００５４】
・乾燥装置１４は、媒体１２に印刷する印刷装置とは別体で設けてもよい。
・図７に示すように、発熱装置は、画像をスクリーンに投影するプロジェクター６０としてもよい。例えばプロジェクター６０は、発熱部の一例である光源６１と、画像を作る液晶パネルやプリズムなど像形部６２と、レンズやミラーなどの光学系６３と、光源６１を覆うカバー３６と、カバー３６を支持するフレーム１９と、変形部材３７と、を備える。変形部材３７は、常温ではカバー３６の揺動を許容し、光源６１が光と共に放出する熱により加熱されると伸長してフレーム１９に接触し、カバー３６の揺動を制限してもよい。
【００５５】
以下に、上述した実施形態及び変更例から把握される技術的思想及びその作用効果を記載する。
発熱装置は、熱を放出する発熱部と、前記発熱部を覆うカバーと、前記カバーが揺動軸を中心として揺動するように前記カバーを支持するフレームと、温度変化により変形する変形部材と、を備え、前記変形部材は、前記カバーと前記フレームのうち一方に設けられ、前記変形部材は、前記変形部材の温度が所定温度より高い状態では、前記揺動軸の軸方向における前記カバーの中央に対して、前記軸方向に沿う第１方向側と、前記中央に対して、前記第１方向とは反対の第２方向側とで、前記カバーと前記フレームのうち他方に接触して前記カバーの揺動を制限し、前記変形部材の温度が前記所定温度より低い状態では前記カバーの揺動を許容する。
【００５６】
この構成によれば、変形部材は、その温度が高い状態では、揺動軸の軸方向において、カバーの中央に対する両側でカバーの揺動を制限する。したがって、カバーの軸方向における両端部に作用する力に対して、カバーの揺動を安定して制限できる。
【００５７】
乾燥装置は、印刷された媒体を支持する支持部と、前記支持部に支持される前記媒体を加熱可能な発熱部と、前記発熱部を覆うカバーと、前記カバーが揺動軸を中心として揺動するように前記カバーを支持するフレームと、温度変化により変形する変形部材と、を備え、前記変形部材は、前記カバーと前記フレームのうち一方に設けられ、前記変形部材は、前記変形部材の温度が所定温度より高い状態では、前記揺動軸の軸方向における前記カバーの中央に対して、前記軸方向に沿う第１方向側と、前記中央に対して、前記第１方向とは反対の第２方向側とで、前記カバーと前記フレームのうち他方に接触して前記カバーの揺動を制限し、前記変形部材の温度が前記所定温度より低い状態では前記カバーの揺動を許容する。この構成によれば、上記発熱装置と同様の効果を奏することができる。
【００５８】
乾燥装置は、前記発熱部と前記変形部材との間に設けられる仕切り壁と、前記仕切り壁と前記支持部との間の空気を流動させる送風部と、をさらに備え、前記発熱部は、前記仕切り壁と前記支持部との間に位置してもよい。
【００５９】
この構成によれば、送風部は、仕切り壁と支持部との間の空気を流動させるため、支持部に支持される媒体をより乾燥しやすくできる。仕切り壁は、発熱部と変形部材との間に設けられ、発熱部は、仕切り壁と支持部との間に位置する。すなわち、仕切り壁は、送風部が空気を流動させる空間と、変形部材が設けられる空間と、を仕切る。したがって、送風部が流動させる空気による変形部材の温度の低下を低減できる。
【００６０】
乾燥装置において、前記変形部材の温度が前記所定温度より高い状態において、前記カバーと前記フレームのうち一方に設けられる前記変形部材は、前記カバーと前記フレームのうち他方に設けられる係合孔に進入し、前記カバーと前記フレームのうち、前記変形部材が設けられる一方よりも外側に、前記係合孔が設けられる他方が位置してもよい。
【００６１】
この構成によれば、例えば変形部材がカバーに設けられ、変形部材が挿入され得る係合孔がフレームに設けられる場合、係合孔を含むフレームは、カバーよりも外側に位置する。したがって、カバー及びフレームの外側から係合孔に変形部材が挿入されているか否かを確認できる。
【００６２】
乾燥装置において、前記変形部材は、単一部材により構成されてもよい。
この構成によれば、変形部材は、単一部材により構成されるため、例えば複数の部材により変形部材を構成する場合に比べ、温度変化に対する変形量を安定させることができる。
【００６３】
乾燥装置は、前記カバーと前記フレームのうち一方に設けられる前記変形部材の温度が前記所定温度より高い状態では、前記変形部材の前記軸方向の両端が前記カバーと前記フレームのうち他方に接触してもよい。
【００６４】
この構成によれば、例えばカバーに設けられる変形部材は、両端がそれぞれフレームに接触する。そのため、例えば複数の変形部材をフレームに接触させる場合に比べ、部材点数を減らすことができる。
【００６５】
印刷装置は、媒体に印刷する印刷部と、印刷された前記媒体を支持する支持部と、前記支持部に支持される前記媒体を加熱可能な発熱部と、前記発熱部を覆うカバーと、前記カバーが揺動軸を中心として揺動するように前記カバーを支持するフレームと、温度変化により変形する変形部材と、を備え、前記変形部材は、前記カバーと前記フレームのうち一方に設けられ、前記変形部材は、前記変形部材の温度が所定温度より高い状態では、前記揺動軸の軸方向における前記カバーの中央に対して、前記軸方向に沿う第１方向側と、前記中央に対して、前記第１方向とは反対の第２方向側とで、前記カバーと前記フレームのうち他方に接触して前記カバーの揺動を制限し、前記変形部材の温度が前記所定温度より低い状態では前記カバーの揺動を許容する。この構成によれば、上記発熱装置と同様の効果を奏することができる。
【符号の説明】
【００６６】
１１…印刷装置、１２…媒体、１３…印刷部、１４…乾燥装置、１５…支持部、１５ａ…支持面、１６…発熱装置、１８…装置本体、１９…フレーム、２０…揺動軸、２２…係合孔、２４…収容体、２５…搬送部、２７…搬送ローラー、２８…繰出軸、２９…巻取軸、３１…液体噴射ヘッド、３２…キャリッジ、３３…ガイド軸、３５…発熱部、３６…カバー、３６ａ…側壁、３７…変形部材、３７Ａ…第１変形部材、３７Ｂ…第２変形部材、３７ａ…第１端、３７ｂ…第２端、３８…仕切り壁、３９…流入口、４０…流出口、４１…送風路、４２…流路部材、４３…送風部、４５…開口、４６…金網、４８…ファン、５０…加熱室、５２…固定部、５３…フランジ、５４…許容部、５５…貫通孔、６０…プロジェクター、６１…発熱部の一例である光源、６２…像形部、６３…光学系、Ｐｃ…閉位置、Ｐｏ…開位置、Ｘ…軸方向、Ｘ１…第１方向、Ｘ２…第２方向、Ｄ１…搬送方向、Ｎ…法線方向、Ｚ…鉛直方向。
【図１】
2020069675.tif 000003
【図２】
2020069675.tif 000004
【図３】
2020069675.tif 000005
【図４】
2020069675.tif 000006
【図５】
2020069675.tif 000007
【図６】
2020069675.tif 000008
【図７】
2020069675.tif 000009